(57)【要約】      （修正有）【課題】強度と安定感がある、自立型のハンガーラック、アンブレラスタンド、デイスプレイラック、新聞等の収納機能を備えた間仕切り、デスク、或いは収納機能を備えたヘッドボード付きベッド等の家具を安価に提供する。【解決手段】縦の主なる柱によってフレームが構成される自立型家具の主縦柱１をワンバイフォー材（１ｘ４材）を狭い幅に縦カットすることなく、そのままの幅で１〜複数本を主たる縦柱として使用する。従来型の無垢の木材を主柱とする家具と比較して強度は格段にアップし、安定感があるだけでなく、幅広の主柱により無垢材の風合いを強調できる。【選択図】図１
0003202782.tif 000002
【実用新案登録請求の範囲】
【請求項１】
（１）縦の主たる柱によってフレームが構成される自立型のハンガーラック、デイスプレイラック、アンブレラスタンド、（２）縦の主たる柱によってフレームが構成され、小物、マガジン、新聞等の収納機能を備えた自立型の家具、（３）縦の主たる柱によってフレーム構造の脚が構成され、フレーム部分に新聞等の収納機能を備えたテーブル、ローボード、及びデスク、（４）縦の主たる柱によってベッドのヘッドボードのフレームが構成され、ヘッドボードの天板、中間、又は天板、中間の両方に載置、収納機能を備えたベッド等の（５）主たる柱をワンバイフォー材（１ｘ４材）を狭い幅に縦にカットすることなくそのままの幅で１〜複数本を縦主柱として使用する形態の（６）ワンバイフォー材（１ｘ４材）縦主柱自立式家具。
【考案の詳細な説明】
【技術分野】
【０００１】  本考案はワンバイフォー材（１ｘ４材）を主なる柱とする家具に関するものである。
【背景技術】
【０００２】  従来の多くの主なる柱に無垢材を使用する家具は主柱が細く強度、及びデザイン的にも頑丈観があるものが少なく、頑丈なものは高価である。
【先行技術文献】
【非特許文献】
【０００３】
【非特許文献１】  デイノス  ウイズ２０１５夏号  Ｐ２４４〜２４５
【考案の開示】
【考案が解決しようとする課題】
【０００４】  本考案は従来の細い、幅の狭い無垢の木材を主柱とした自立式ハンガーラック、アンブレラスタンド、デイスプレイラック、又は小物、マガジン、新聞等の収納機能を備えた家具、或いはベッドのヘットボードをより強度を増し、頑丈に，更に視覚的にも頑丈感、安定感を持たせながら、安価に提供する事を解決課題とする。
【課題を解決するための形態】
【０００５】  本考案は問題点解決のため、ワンバイフォー材（１ｘ４材）を幅カットすることなく主なる柱として使用することにより解決手段とするものである。
【考案の効果】
【０００６】  上記考案の自立式ハンガーラック、アンブレラスタンド、デイスプレイラック、又は小物、マガジン、新聞等の収納機能を備えた自立式家具、又はベッドのヘットボードにワンバイフォー材（１ｘ４材）を幅カットすることなく主なる柱として使用することにより、頑丈で、更に視覚的にも頑丈感を持たせる効果がある。尚、現在ワンバイフォー材（１ｘ４材）は建築部材として大量に輸入、生産されており他の無垢材と比較しても非常に安価であり、安易に入手可能な材料であり、コストを抑え、しかも強度のアップを図る効果がある。
【図面の簡単な説明】
【０００７】
【図１】  ワンバイフォー材複数主柱ハンガーラック例図
【図２】  ワンバイフォー材単数主柱ハンガーラック例図
【図３】  ワンバイフォー材主柱アンブレラスタンド例図
【図４】  ワンバイフォー材主柱収納家具例図
【図５】  ワンバイフォー材主柱デイスプレイラック例図
【図６】  ワンバイフォー材主柱マガジンラック付き机例図
【図７】  ワンバイフォー材主柱ヘッドボードのベッド例図
【考案を実施するための形態】
【０００８】  上記考案を実施するため、主なる柱にワンバイフォー材（１ｘ４材）を主柱として使用するハンガーラック、アンブレラスタンド、デイスプレイラック、そして小物、マガジン、新聞等の収納機能を備えた家具、或いはベッド用ヘットボードの最良の形態を以下、図１〜図７を参照して説明する。
【実施例】
【０００９】  以下、添付図に従って実施例を説明する。図１は主柱１に複数のワンバイフォー材（１ｘ４材）を幅カットすることなく使用したハンガーラックの図である。主柱１を複数のワンバイフォー材（１ｘ４）を幅カットすることなく縦フレームに使用することにより、従来品の安いハンガーラックと比較して、強度は格段にアップされ、しかも安定感、安心感が増し、安価に仕上がる形態を説明する図である。尚、ワンバイフォー材（１ｘ４材）主柱により構成されるハンガーラックの形状は図示に限定されるものではない。【００１０】  図２は主柱１にワンバイフォー材（１ｘ４）を幅カットすることなく単数で使用したハンガーラックの図である。主柱としてワンバイフォー材を幅カットすることなく使う事により従来品と比較して、ハンガーラックとしての強度は格段にアップされる、しかも安定感、安心感が増す形態を説明する図である。尚、１本のワンバイフォー材（１ｘ４材）主柱にて構成されるハンガーラックの形状は図示に限定されるものではない。【００１１】  図３は主柱１にワンバイフォー材（１ｘ４材）を使用したアンブレラスタンドの図である。ワンバイフォー材（１ｘ４材）を幅カットすることなく主柱１に１〜複数使用することにより従来品と比較して、アンブレラスタンドとしての強度は格段にアップされ、しかも視覚的にも安定感、安心感が増す形態を説明する図である。尚、ワンバイフォー材（１ｘ４材）主柱によって構成されるアンブレラスタンドの形状は図示に限定されるものではない。【００１２】  図４は主柱１にワンバイフォー材（１ｘ４材）を幅カットすることなく複数使用した自立式の間仕切り、小物収納、マガジン新聞収納ラックの図である。図の小物や新聞等の載置部１２は小物のみならずスマートフォンやシステム手帳、ポーチ、小銭入れ、財布、ＣＤ、単行本等、多種多様な物の収納可能であり、間仕切り家具やカウンター下家具としての活用も可能であり、高さ、幅、棚板１３の有無等、デザインも多様であり図示に限定するものはない。【００１３】  図５は主柱１にワンバイフォー材（１ｘ４材）を使用した自立式デイスプレイラックの図である。ワンバイフォー材（１ｘ４材）を幅カットすることなく主柱１に単体使用することにより従来品と比較して、デイスプレイラックとしての強度は格段にアップし、しかも視覚的にも強度、安定、安心感が増す形態を説明する図である。尚、１〜複数のワンバイフォー材（１ｘ４材）主柱により構成される自立式デイスプレイラックの形状は多種多様であり図示に限定するものではない。【００１４】  図６はマガジンラック付きデスクのマガジンラック部９の主柱１をワンバイフォー材（１ｘ４材）を幅カットすることなく使用しデスクの脚と兼用とした形態のデスクの参考図である。図示テーブル丸脚１５のかわりにマガジンラック、棚付きラック、引き出しキャビネット、或は扉付きボックスが付くこともあり、図示のようなハイタイプデスクのみならずローデスク、センターテーブル、或いはテレビボードにも応用可能である。上記デスク形状は図示に限定するものではなく多様な展開が可能なものである。【００１５】  図７はワンバイフォー材（１ｘ４材）１を主柱にした収納部分１７を有するヘ���ドボード１６を備えたベッドの参考図である。図示のごとくワンバイフォー材  （１ｘ４材）をヘッドボードの縦主柱に使用することにより、上部に載置部分、或いは中間に収納部を構成することが可能となり、安定感のある強度が確保されたヘッドボード付きベッドを安価に提供することが可能となる例図である。尚、ヘッドボード等の形状、スタイルは図示に限定するものではない。
【符号の説明】
【００１６】  １  ワンバイフォー材縦主柱
２  脚部
３  横方向補強板
４  ハンガー部分
５  フック
６  上部フレーム、又は枠
７  下部フレーム、又は枠
８  水受け皿
９  マガジンホルダー
１０  主柱保持具
１１  マガジンホルダー移動取り付け孔
１２  小物、ＣＤ、単行本等の収納部
１３  棚板
１４  フレームパネル
１５  デスク、テーブル脚
１６  ベッドのヘッドボード
１７  収納部分
【図１】
0003202782.tif 000003
【図２】
0003202782.tif 000004
【図３】
0003202782.tif 000005
【図４】
0003202782.tif 000006
【図５】
0003202782.tif 000007
【図６】
0003202782.tif 000008
【図７】
0003202782.tif 000009
【手続補正書】
【提出日】平成27年11月24日(2015.11.24)
【手続補正１】
【補正対象書類名】実用新案登録請求の範囲
【補正対象項目名】全文
【補正方法】変更
【補正の内容】
【実用新案登録請求の範囲】
【請求項１】
縦の主たる柱をワンバイフォー材（１ｘ４材）を狭い幅に縦にカットすることなくそのままの幅で１〜複数本を縦主柱として構成したワンバイフォー材（１ｘ４材）縦主柱自立式家具であって、（１）縦の主たる柱をワンバイフォー材（１ｘ４材）を狭い幅に縦にカットすることなくそのままの幅で１〜複数本を縦主柱として構成した自立型のハンガーラック、デイスプレイラック、アンブレラスタンド、（２）縦の主たる柱をワンバイフォー材（１ｘ４材）を狭い幅に縦にカットすることなくそのままの幅で１〜複数本を縦主柱として構成したマガジン、新聞、小物等の収納機能を備えた自立型収納家具、（３）縦の主たる柱をワンバイフォー材（１ｘ４材）を狭い幅に縦にカットすることなくそのままの幅で１〜複数本を縦主柱として脚を構成し、その脚部分に新聞等の収納機能を備えたテーブル、ローボード、及びデスク、（４）縦の主たる柱をワンバイフォー材（１ｘ４材）を狭い幅に縦にカットすることなくそのままの幅で１〜複数本を縦主柱としたヘッドボードを備えたベッド、のいずれかであるワンバイフォー材（１ｘ４材）縦主柱自立式家具。